(57)【要約】      （修正有）【課題】より簡易な構成で汎用性の高い階段構造物を提供する。【解決手段】一定段数分のステップ板載せ部２５を有する基本フレーム材２１からなる階段フレーム体２０と、前記ステップ板載せ部２５に配設されるステップ板３０とからなることを特徴とする。特に、基本フレーム材２１が踊り場を介して平面視Ｕ字形又はＬ字形状に屈曲して組み合わされて階段フレーム体２０が構成されている。また、基本フレーム材２１が金属材よりなる複数種類のデザインの中から選択しうるように構成されているとともに、ステップ板３０が複数種類の材質又はデザインの中から選択しうるように構成されている。【選択図】図１
0003144056.tif 000002
【実用新案登録請求の範囲】
【請求項１】
一定段数分のステップ板載せ部を有する基本フレーム材からなる階段フレーム体と、前記ステップ板載せ部に配設されるステップ板とからなることを特徴とする階段構造物。
【請求項２】
前記基本フレーム材がてすり部を一体に有するてすり付きフレーム材である請求項１に記載の階段構造物。
【請求項３】
前記基本フレーム材がてすり部を有しないステップフレーム材である請求項１に記載の階段構造物。
【請求項４】
前記基本フレーム材が踊り場を介して平面視Ｕ字形又はＬ字形状に屈曲して組み合わされて階段フレーム体が構成されている請求項１ないし３のいずれか１項に記載の階段構造物。
【請求項５】
前記基本フレーム材が金属材よりなる複数種類のデザインの中から選択しうるように構成されている請求項１ないし４のいずれか１項に記載の階段構造物。
【請求項６】
前記ステップ板が複数種類の材質又はデザインの中から選択しうるように構成されている請求項１ないし５のいずれか１項に記載の階段構造物。
【請求項７】
前記ステップ板の一側がステップ板載せ部を有するステップ金具によって保持される請求項１ないし６のいずれか１項に記載の階段構造物。
【考案の詳細な説明】
【技術分野】
【０００１】
本考案は、複数階層からなる建築物の下階と上階との昇降を可能とするための階段構造物に関する。
【背景技術】
【０００２】
二階建て住宅等の複数階層からなる建築物においては、下階と上階との昇降を可能とするための階段が建築物の内部あるいは外部に適宜設置される。通常、建築物に階段を設置する場合は、建築物の間取りやデザイン等に応じて適宜の寸法や形状に形成されたステップ板や蹴込み板等の各部材をあらかじめ生産し、建築現場において建築物の内壁や外壁等に構造体として一体に組み立てられる。
【０００３】
このように階段を建築物の構造体として一体に組み立てる場合、設置個所の壁内部に補強材を設ける必要があったり、建築現場において設置個所の壁等に対して寸法等を合わせながらステップ板や蹴込み板等の各部材を手作業で正確に組み付けて施工する等、現場での作業が繁雑となっていた。
【０００４】
そこで、建築現場での作業を軽減するために、階段を単一の構造物として工場等であらかじめ組み立てておき、その階段構造物を建築現場に搬送して適宜の設置場所に組み付けることが行われている（例えば、特許文献１参照。）。
【０００５】
しかしながら、従来の階段構造物では、施工される建築物に合わせてその都度オーダーメードされるものが主流であり、汎用性が低く経済的にも不利であった。また、段数の多い階段構造物の場合、構造物が大きくなりすぎることから、分解された状態で搬送されて建築現場で改めて組み直しており、現場での作業の負担が増えるという問題があった。
【特許文献１】特開２００２−１５５６０８号公報
【考案の開示】
【考案が解決しようとする課題】
【０００６】
本考案は前記の点に鑑みなされたものであり、より簡易な構成で汎用性の高い階段構造物を提供するものである。
【課題を解決するための手段】
【０００７】
すなわち、請求項１の考案は、一定段数分のステップ板載せ部を有する基本フレーム材からなる階段フレーム体と、前記ステップ板載せ部に配設されるステップ板とからなることを特徴とする階段構造物に係る。
【０００８】
請求項２の考案は、前記基本フレーム材がてすり部を一体に有するてすり付きフレーム材である請求項１に記載の階段構造物に係る。
【０００９】
請求項３の考案は、前記基本フレーム材がてすり部を有しないステップフレーム材である請求項１に記載の階段構造物に係る。
【００１０】
請求項４の考案は、前記基本フレーム材が踊り場を介して平面視Ｕ字形又はＬ字形状に屈曲して組み合わされて階段フレーム体が構成されている請求項１ないし３のいずれか１項に記載の階段構造物に係る。
【００１１】
請求項５の考案は、前記基本フレーム材が金属材よりなる複数種類のデザインの中から選択しうるように構成されている請求項１ないし４のいずれか１項に記載の階段構造物に係る。
【００１２】
請求項６の考案は、前記ステップ板が複数種類の材質又はデザインの中から選択しうるように構成されている請求項１ないし５のいずれか１項に記載の階段構造物に係る。
【００１３】
請求項７の考案は、前記ステップ板の一側がステップ板載せ部を有するステップ金具によって保持される請求項１ないし６のいずれか１項に記載の階段構造物に係る。
【考案の効果】
【００１４】
請求項１の考案に係る階段構造物によれば、一定段数分のステップ板載せ部を有する基本フレーム材からなる階段フレーム体と、前記ステップ板載せ部に配設されるステップ板とからなるため、極めて簡易な構成で汎用性の高い階段構造物を提供することが可能となる。
【００１５】
請求項２の考案によれば、前記基本フレーム材がてすり部を一体に有するてすり付きフレーム材であるため、安全性の確保や階段の昇降時の補助機能をもたせることができる。
【００１６】
請求項３の考案によれば、前記基本フレーム材がてすり部を有しないステップフレーム材であるため、省スペース化を図ることができるとともに製造コストを抑制することができる。
【００１７】
請求項４の考案によれば、前記基本フレーム材が踊り場を介して平面視Ｕ字形又はＬ字形状に屈曲して組み合わされて階段フレーム体が構成されているため、限られたスペースでの設置が可能となるとともに、意匠性を持たせることができる。
【００１８】
請求項５の考案によれば、前記基本フレーム材が金属材よりなる複数種類のデザインの中から選択しうるように構成されているため、設計者や施工主のデザイン要求に応えることができる。
【００１９】
請求項６の考案によれば、前記ステップ板が複数種類の材質又はデザインの中から選択しうるように構成されているため、設計者や施工主のデザイン要求に応えることができる。
【００２０】
請求項７の考案によれば、前記ステップ板の一側がステップ板載せ部を有するステップ金具によって保持されるため、建築物の壁に接する場所においても効果的に設置することが可能となる。
【考案を実施するための最良の形態】
【００２１】
以下添付の図面に従ってこの考案を詳細に説明する。
図１は本考案の第１実施例に係る階段構造物の斜視図、図２は図１の階段構造物のてすり付きフレーム材の断面図、図３は図１の階段構造物のステップフレーム材の断面図、図４は本考案の第２実施例に係る階段構造物の斜視図、図５は図４の階段構造物のてすり付きフレーム材の断面図、図６は図４の階段構造物のステップフレーム材の断面図、図７は本考案の第３実施例に係る階段構造物の斜視図、図８は図７の階段構造物のてすり付きフレーム材の断面図、図９は図７の階段構造物のステップフレーム材の断面図、図１０は本考案の第４実施例に係る階段構造物の斜視図、図１１は図１０の階段構造物の階段フレーム体の断面図、図１２は木製の平板からなるステップ板の拡大図、図１３はガラス製の平板からなるステップ板の拡大図、図１４は格子板からなるステップ板の拡大図、図１５は貫通孔が形成された金属板からなるステップ板の拡大図、図１６はグレーチング構造を有する金属板からなるステップ板の拡大図、図１７は基本フレーム材が平面視直線状に組み合わせされた階段構造物の平面図、図１８は図１７の階段構造物の要部断面図、図１９は基本フレーム材が平面視Ｕ字形に屈曲して組み合わせされた階段構造物の平面図、図２０は図１９の階段構造物の要部断面図、図２１は基本フレーム材が平面視Ｌ字形に屈曲して組み合わせされた階段構造物の平面図、図２２は図２１の階段構造物の要部断面図、図２３はステップ板一側がステップ金具によって保持された階段構造物の要部断面図、図２４は壁表面に配置されたステップ金具の取付構造を表した断面図、図２５は壁内部に配置されたステップ金具の取付構造を表した断面図、図２６は壁内部でステップ板を保持するステップ金具の取付構造を表した断面図である。
【００２２】
図１に示す本考案の一実施例に係る階段構造物１０は、階段フレーム体２０と、ステップ板３０とからなる。この階段構造物１０は、主として、二階建て住宅等の複数階層からなる建築物において、下階と上階との昇降を可能とするために建築物の内部に適宜設置されるものである。実施例の階段構造物１０では、段数が６段で１つの構造物が構成される。
【００２３】
階段フレーム体２０は、図１〜図３に示すように、一定段数（実施例では６段）分のステップ板載せ部２５を有する基本フレーム材２１からなり、建築物内の床に図示しないボルト部材等によって固定される。この基本フレーム材２１は金属材よりなり、図１〜図１１に示すように、複数種類のデザインの中から選択しうるように構成されている。
【００２４】
また、基本フレーム材２１は、図１，２に示すように、てすり部２３を一体に有するてすり付きフレーム材２２であることが好ましい。基本フレーム材２１をてすり付きフレーム材２２とすれば、安全性の確保や階段の昇降時の補助として有効的である。また、図１，３に示すように、この基本フレーム材２１は、てすり部２３を有しないステップフレーム材２４とすることもできる。基本フレーム材２１をステップフレーム材２４とすれば、省スペース化を図ることが可能となっててすり部２３を必要としない壁側にも設置し易くなり、製造コストを抑制することもできる。
【００２５】
図１〜図３に示す階段構造物１０Ａは、側面視階段状にデザインされた板状の基本フレーム材２１Ａを用いた例である。この階段構造物１０Ａでは、てすり付きフレーム材２２Ａ（図２参照）とステップフレーム材２４Ａ（図３参照）とがそれぞれステップ板載せ部２５が内側となるように対向して配置され、同一の高さで対向する各ステップ板載せ部２５によって後述するステップ板３０の両端を保持して段部を形成するように構成される。
【００２６】
図４〜図６に示す階段構造物１０Ｂは、上面が側面視階段状でかつ下面が階段の傾斜に対応した直線形状にデザインされた板状の基本フレーム材２１Ｂを用いた例である。この階段構造物１０Ｂでは、前記階段構造物１０Ａと同様に、てすり付きフレーム材２２Ｂ（図５参照）とステップフレーム材２４Ｂ（図６参照）とがそれぞれステップ板載せ部２５が内側となるように対向して配置され、同一の高さで対向する各ステップ板載せ部２５によって後述するステップ板３０の両端を保持して段部を形成するように構成される。
【００２７】
図７〜図９に示す階段構造物１０Ｃは、いわゆるトラス構造にデザインされた基本フレーム材２１Ｃを用いた例である。この階段構造物１０Ｃでは、前記階段構造物１０Ａ，１０Ｂと同様に、てすり付きフレーム材２２Ｃ（図８参照）とステップフレーム材２４Ｃ（図９参照）とがそれぞれステップ板載せ部２５が内側となるように対向して配置され、同一の高さで対向する各ステップ板載せ部２５によって後述するステップ板３０の両端を保持して段部を形成するように構成される。
【００２８】
図１０及び図１１に示す階段構造物１０Ｄは、桁状にデザインされた単一の基本フレーム材２１Ｄを用いた例である。この階段構造物１０Ｄでは、単一の基本フレーム材２１Ｄが幅広に形成された平板状のステップ板載せ部２５Ｄを一定間隔で段状に有するとともに片側にてすり部２３Ｄを有するてすり付きフレーム材２２Ｄからなり、前記各ステップ板載せ部２５Ｄによって後述するステップ板３０の略中央部分を保持して段部を形成するように構成される。
【００２９】
ステップ板３０は、基本フレーム材２１のステップ板載せ部２５に配設されるものでああり、図示しないボルト部材によって固着される。このステップ板３０は、図１２〜図１５に示すように、複数種類の材質又はデザインの中から選択しうるように構成されている。
【００３０】
図１２のステップ板３０Ａは、木製の平板からなる例である。このステップ板３０Ａでは、強度や断熱保湿性、調湿性等に優れ、木目調の高級感を醸し出すことができる。
【００３１】
図１３のステップ板３０Ｂは、ガラス製の平板からなる例である。このステップ板３０Ｂでは、透過性に優れ、階段下の空間部分に光を取り入れることができるとともに、開放的な空間イメージを作り出すことができる。また図示しないが、このステップ板３０Ｂとしては、ガラス製の代わりに透明なプラスチックを用いても構わない。なお、このステップ板３０Ｂでは、安全性を考慮して、外周部分が金属部材で補強されている。
【００３２】
図１４のステップ板３０Ｃは、ガラス繊維で強化されたプラスチック製の格子板からなる例である。このステップ板３０Ｃでは、軽量で高い強度を備えるとともに、耐水性や耐熱効果、耐候性に優れ、屋内外を問わず好適に用いることができる。また、通気性を備え、階段下の空間部分に光を取り入れることも可能であり、特に、その質感からアーバンライフに適した雰囲気を醸し出すことができる。
【００３３】
図１５のステップ板３０Ｄは複数の貫通孔が形成された金属板からなる例であり、図１６のステップ板３０Ｅは鋼材を網状に組んだグレーチング構造を有する金属板からなる例である。これらのステップ板３０Ｄ，３０Ｅでは、デザイン的要素に優れ、高い強度と通気性を備えるとともに、階段下の空間部分に光を取り入れることが可能である。また特に、屋内で使用する場合には、滑りにくく弾力性を備えたゴム部材等を表面に設けることが好ましい。
【００３４】
このように、基本フレーム材２１やステップ板３０が複数種類のデザインの中から選択しうるように構成されていることにより、建築物の雰囲気に応じて様々なバリエーションのデザインを提供することが可能となり、設計者や施工主等のデザイン要求に応えることができる。
【００３５】
本考案の階段構造物１０にあっては、設置場所に応じて、図１７〜図２２に示すように、複数の基本フレーム材２１を組み合わせて階段フレーム体２０を構成することができる。なお、図中の符号Ｆは建築物の床、Ｗは建築物の壁を表す。
【００３６】
図１７及び図１８に示す階段構造物１１は、複数の基本フレーム材２１Ａが平面視直線状に組み合わせされて階段フレーム体２０Ａが構成された例である。この階段構造物１１では、ステップ板載せ部２５が対向するように配置された段数が６段からなるてすり付きフレーム材２２Ａが直列状に連結される。この階段構造物１１では、特に、壁等から離れた場所に設置することにより、開放感のある空間を作り出すことができる。
【００３７】
図１９及び図２０に示す階段構造物１２は、基本フレーム材２１Ｂが踊り場Ｌを介して平面視Ｕ字形に屈曲して組み合わされて階段フレーム体２０Ｂが構成された例である。この階段構造物１２では、段数が６段からなる基本フレーム材２１Ｂが踊り場Ｌを介して設置されており、特に壁Ｗ側に設置された基本フレーム材２１Ｂがステップフレーム材２４Ｂとして構成される。この階段構造物１２では、限られた設置スペースを有効的に活用して、意匠性を持たせた階段構造物を提供することができる。
【００３８】
図２１及び図２２に示す階段構造物１３は、基本フレーム材２１Ｃが踊り場を介して平面視Ｌ字形状に屈曲して組み合わされて階段フレーム体２０Ｃが構成された例である。この階段構造物１３では、段数が６段からなる基本フレーム材２１Ｃが踊り場Ｌを介して設置されており、特に壁Ｗ側に設置された基本フレーム材２１Ｃがステップフレーム材２４Ｃとして構成される。この階段構造物１３では、前記階段構造物１２と同様に、限られた設置スペースを有効的に活用して、意匠性を持たせた階段構造物を提供することができる。
【００３９】
図２３〜図２６に示す階段構造物１４は、ステップ板３０の一側がステップ板載せ部２５を有するステップ金具４０によって保持された例である。なお、図２４〜図２６において、符号４１はステップ板３０をステップ金具４０のステップ載せ部２５に固定するための固定部材、４２はステップ金具４０を壁Ｗに固定するための固定部材、Ｗ１は壁Ｗの表面側に位置する第１壁部、Ｗ２は壁Ｗの内側に位置する第２壁部を表す。
【００４０】
図２４に示すステップ金具４０Ａは、壁Ｗの表面側（第１壁部Ｗ１）に配置された例である。このステップ金具４０Ａは、断面略Ｌ字形で、厚さ約３ｃｍ、幅約３０ｃｍ、壁Ｗとの固定部分及びステップ板載せ部２５の長さ約３０ｃｍに形成されている。このステップ金具４０Ａでは、第１壁部Ｗ１に壁Ｗの表面側から固定部材４２によって固定され、壁Ｗの表面から略垂直に突出したステップ載せ部２５によってステップ板３０の一側を保持するように構成される。このステップ金具４０Ａによれば、取付作業を極めて簡便に行うことができる。
【００４１】
図２５に示すステップ金具４０Ｂは、壁Ｗの内部（第２壁部Ｗ２）に配置された例である。このステップ金具４０Ｂは、断面略Ｌ字形で、厚さ約３ｃｍ、幅４０〜５０ｃｍ、壁Ｗとの固定部分及びステップ板載せ部２５の長さ４０〜５０ｃｍに形成されている。このステップ金具４０Ｂでは、第２壁部Ｗ１に固定される一方、ステップ載せ部２５を壁Ｗの表面側（第１壁部Ｗ１）に貫通させて壁Ｗの表面から略垂直に突出させ、壁Ｗの表面側でステップ板３０の一側を保持するように構成される。このステップ金具４０Ｂによれば、壁Ｗ（第２壁部Ｗ２）との固定部分を隠すことが可能となるので、外観が損なわれることを抑制することができる。
【００４２】
図２６に示すステップ金具４０Ｃは、壁Ｗの内部（第２壁部Ｗ２）でステップ板３０を保持する例である。このステップ金具４０Ｃは、断面略Ｌ字形で、厚さ約３ｃｍ、幅約３０ｃｍ、壁Ｗとの固定部分及びステップ板載せ部２５の長さ約３０ｃｍに形成されている。このステップ金具４０Ｂでは、ステップ板載せ部２５が壁Ｗ内部（第１壁部１と第２壁部Ｗ２との間）に配置されるように第２壁部Ｗ２に固定して、壁Ｗ内部のステップ板載せ部２５によってステップ板３０の一側を保持するように構成される。その際、ステップ板３０は、壁Ｗの第１壁部Ｗ１を貫通した状態となっている。このステップ金具４０Ｃによれば、壁Ｗ（第２壁部Ｗ２）との固定部分に加え、ステップ板３０との固定部分も隠すことが可能となるので、建築物と階段構造物との一体感を作り出すことができる。
【００４３】
このように、ステップ板３０の一側をステップ金具４０によって保持する構成とすれば、建築物の壁に接する場所においても効果的に設置することが可能となる。
【００４４】
以上図示し説明したように、本考案の階段構造物１０にあっては、一定段数分のステップ板載せ部２５を有する基本フレーム材２１からなる階段フレーム体２０と、ステップ板載せ部２５に配設されるステップ板３０とからなるため、構成が極めて簡易であり、しかも、設置場所の雰囲気やスペースに対応して様々なバリエーションの階段構造物を提供することが可能であるから、汎用性にも優れる。
【００４５】
なお、本考案の階段構造物は、前述の実施例のみに限定されるものではなく、考案の趣旨を逸脱しない範囲において構成の一部を適宜に変更して実施することができる。例えば、前述の実施例では階段構造物を建築物内に設置するものとしたが、これに限らず建築物の外部に設置することもできる。
【００４６】
また、基本フレーム材のデザインとして図１〜図１１の例を示したが、これに限定されるものではなく、設計者や施工主等の要求に応じたデザインとすることができる。さらに、ステップ板の材質又はデザインとして図１２〜図１７の例を示したが、これに限定されるものではなく、設計者や施工主等の要求に応じた材質又はデザインとすることができる。
【図面の簡単な説明】
【００４７】
【図１】本考案の第１実施例に係る階段構造物の斜視図である。
【図２】図１の階段構造物のてすり付きフレーム材の断面図である。
【図３】図１の階段構造物のステップフレーム材の断面図である。
【図４】本考案の第２実施例に係る階段構造物の斜視図である。
【図５】図４の階段構造物のてすり付きフレーム材の断面図である。
【図６】図４の階段構造物のステップフレーム材の断面図である。
【図７】本考案の第３実施例に係る階段構造物の斜視図である。
【図８】図７の階段構造物のてすり付きフレーム材の断面図である。
【図９】図７の階段構造物のステップフレーム材の断面図である。
【図１０】本考案の第４実施例に係る階段構造物の斜視図である。
【図１１】図１０の階段構造物の階段フレーム体の断面図である。
【図１２】木製の平板からなるステップ板の拡大図である。
【図１３】ガラス製の平板からなるステップ板の拡大図である。
【図１４】格子板からなるステップ板の拡大図である。
【図１５】貫通孔が形成された金属板からなるステップ板の拡大図である。
【図１６】グレーチング構造を有する金属板からなるステップ板の拡大図である。
【図１７】基本フレーム材が平面視直線状に組み合わせされた階段構造物の平面図である。
【図１８】図１７の階段構造物の要部断面図である。
【図１９】基本フレーム材が平面視Ｕ字形に屈曲して組み合わせされた階段構造物の平面図である。
【図２０】図１９の階段構造物の要部断面図である。
【図２１】基本フレーム材が平面視Ｌ字形に屈曲して組み合わせされた階段構造物の平面図である。
【図２２】図２１の階段構造物の要部断面図である。
【図２３】ステップ板一側がステップ金具によって保持された階段構造物の要部断面図である。
【図２４】壁表面に配置されたステップ金具の取付構造を表した断面図である。
【図２５】壁内部に配置されたステップ金具の取付構造を表した断面図である。
【図２６】壁内部でステップ板を保持するステップ金具の取付構造を表した断面図である。
【符号の説明】
【００４８】
１０  階段構造物
２０  階段フレーム体
２１  基本フレーム材
２５  ステップ板載せ部
３０  ステップ板
【図１】
0003144056.tif 000003
【図２】
0003144056.tif 000004
【図３】
0003144056.tif 000005
【図４】
0003144056.tif 000006
【図５】
0003144056.tif 000007
【図６】
0003144056.tif 000008
【図７】
0003144056.tif 000009
【図８】
0003144056.tif 000010
【図９】
0003144056.tif 000011
【図１０】
0003144056.tif 000012
【図１１】
0003144056.tif 000013
【図１２】
0003144056.tif 000014
【図１３】
0003144056.tif 000015
【図１４】
0003144056.tif 000016
【図１５】
0003144056.tif 000017
【図１６】
0003144056.tif 000018
【図１７】
0003144056.tif 000019
【図１８】
0003144056.tif 000020
【図１９】
0003144056.tif 000021
【図２０】
0003144056.tif 000022
【図２１】
0003144056.tif 000023
【図２２】
0003144056.tif 000024
【図２３】
0003144056.tif 000025
【図２４】
0003144056.tif 000026
【図２５】
0003144056.tif 000027
【図２６】
0003144056.tif 000028